(57)【要約】【課題】媒体スタック装置に関し、排出済みの媒体に撓み等があっても、確実に後続の媒体をその上に積層することを可能にして、スタック不良を防止することを目的とする。【解決手段】排出部１から排出される紙葉状媒体２を積層収容するトレイ部３と、  可撓性を有する薄板体により形成され、所定タイミングで一端が回転駆動されてトレイ部３内に排出された紙葉状媒体２を回転先端部により上方から押さえ付ける押さえ部材４とを有して構成する。【選択図】  図３
2006219221.tif 000002
【特許請求の範囲】
【請求項１】
排出部から排出される紙葉状媒体を積層収容するトレイ部と、
可撓性を有する薄板体により形成され、所定タイミングで一端が回転駆動されてトレイ部内に排出された紙葉状媒体を回転先端部により上方から押さえ付ける押さえ部材とを有する媒体スタック装置。
【請求項２】
紙葉状媒体の排出タイミングに同期させて交互に回転駆動される複数の押さえ部材を備える請求項１記載の媒体スタック装置。
【請求項３】
前記押さえ部材が、回転基端をトレイ部の紙葉状媒体排出方向に沿う２側縁に位置させて配置される請求項２記載の媒体スタック装置。
【請求項４】
前記押さえ部材の回転先端部の移動軌跡を規制するガイド壁を備える請求項１、２または３記載の媒体スタック装置。
【発明の詳細な説明】
【技術分野】
【０００１】
本発明は、媒体スタック装置に関するものである。
【背景技術】
【０００２】
用紙の撓みによるスタック不良を防止することができる媒体スタック装置としては、特許文献１に記載されたものが知られている。この従来例において、処理済みの用紙は押し出し部材によりトレイ部側に押し出される。用紙に腰がない場合、押し出し部材による押し出し操作だけでは用紙が撓んで用紙の搬送力が得られず、スタック不良を惹起するおそれがあるために、排出部には、用紙を載せてトレイ部に搬送する支え部材が設けられる。
【特許文献１】特開２００３-２３８０１４号公報
【発明の開示】
【発明が解決しようとする課題】
【０００３】
しかし、上述した従来例において、排出対象の用紙に腰がなくても確実にトレイ部に搬出することは可能であるものの、排出済みの用紙が屈曲して支え部材の進退経路に干渉する場合には、当該用紙は支え部材により不規則に畳まれてしまい、スタック不良が発生するという問題がある。
【０００４】
本発明は、以上の欠点を解消すべくなされてものであって、排出済みの媒体に撓み等があっても、確実に後続の媒体をその上に積層することを可能にして、スタック不良を防止することのできる媒体スタック装置を提供することを目的とする。
【課題を解決するための手段】
【０００５】
媒体スタック装置は、例えば、プリンタ等の印刷装置、あるいは伝票処理装置等に別体、あるいは一体に連結されて使用され、排出部１から排出される紙葉状媒体２をトレイ部３上に順次積層、収容するように構成される。紙葉状媒体２は、紙以外に薄い樹脂製シート等であってもよく、さらに、単票用紙以外に通帳等の冊子状媒体であってもよい。
【０００６】
排紙ローラ６等の適宜の媒体排出手段により紙葉状媒体２がトレイ部３に送られると押さえ部材４の一端（回転基端）が回転駆動され、回転基端と反対側の端部（回転先端部）は回転しながら排出された紙葉状媒体２上に覆いかぶさる。この結果、排出された紙葉状媒体２に撓み癖が付いていても、押さえ部材４により矯正され、後続の紙葉状媒体２が引っ掛かることがなくなり、スタック不良が防止される。
【０００７】
この後、後続の紙葉状媒体２は、押さえ部材４の上に積層され、次いで、押さえ部材４を同一方向に駆動すると、回転先端部は回転基端周りに巻き付けられながら引き抜かれ、次の押さえ付け操作の準備がなされる。
【０００８】
押さえ部材４は、紙葉状媒体２の撓みを後続の紙葉状媒体２の排出に支障を来さない程度まで矯正可能な剛性を有し、かつ回転端への巻き付きが円滑に行われる程度の弾性変形能を有するように形成される。
【発明の効果】
【０００９】
本発明によれば、先行して排出された紙葉状媒体にカール等があっても、押さえ部材により押さえ込まれる。この結果、排出済みの紙葉状媒体に撓み等があっても、確実に後続の紙葉状媒体をその上に積層することをができるために、スタック不良を確実に防止することができる。
【発明を実施するための最良の形態】
【００１０】
図１にプリンタ装置への適用例を示す。プリンタ装置には、適数の搬送ローラを配置することによって、図外の給紙スタッカを始端とし、排紙口（排出部１）に至る搬送路７が構成される。搬送路７の中間部には感光ドラム、定着器等からなる画像形成部８が配置され、印刷済みの用紙（紙葉状媒体２）は搬送路７終端に配置される排紙ローラ６により媒体スタック装置に排出される。搬送路７上には、排紙口１に向けて搬送される用紙を検出するための排紙検出センサ７ａが配置される。
【００１１】
媒体スタック装置は、プリンタ装置の排紙口１から排出される印刷済み用紙を積層して収容するためのトレイ部３と、トレイ部３上に配置される２本の固定軸９、９とを備える。固定軸９は、排紙口１から排紙される印刷済み用紙２の左右両側縁に対応する位置に配置され、各固定軸９に押さえ部材４の一端（回転基端）が固定される。これら固定軸９は、図外の制御部により制御されるアクチュエータ１０により回転駆動される。
【００１２】
押さえ部材４は合成樹脂製の薄板材で、排紙方向に直交する方向に長い短冊形状に形成され、プリンタ装置の排紙口１近傍に配置される。この押さえ部材４は、弾性変形範囲内で固定軸９周りに適宜の曲率で螺旋状に巻回可能な程度の可撓性を有し、かつ、後述するように、反り癖のついた用紙２を押さえた際には、用紙２の反りを修復可能な程度の剛性を有するように、材料、形状等が決定される。
【００１３】
さらに、上記各固定軸９の側方に一対のガイド壁５が立設される。ガイド壁５の上端部には、固定軸９側、すなわち、トレイ部３の内方側に適宜曲率で屈曲する屈曲部５ａが設けられる。
【００１４】
以上のように構成される媒体スタック装置の動作を以下に説明する。図２（ａ）に示す初期状態において、２個の押さえ部材４、４は、トレイ部３の後端、すなわち、排紙口１側の辺縁近傍において重合している。この状態から、印刷済み用紙２が排紙されると、用紙２は、図２（ｂ）、（ｃ）に示すように、搬送側後端部が押さえ部材４に乗りあがった状態でトレイ部３上に積層される。
【００１５】
図２（ｃ）は、排出された印刷済み用紙２が、排紙方向の前後端部が上方に反る撓み癖がある場合を示すもので、この状態で後続の用紙２が排紙されると、後続の用紙２の搬送先端縁が先行用紙２の後端に衝接するために、後続の用紙２の排紙に先立って、一方の固定軸９が回転駆動される。
【００１６】
回転駆動の対象となる固定軸９は、重合状態にある２枚の押さえ部材４のうち、下方に位置する押さえ部材４に対応するものであり、駆動タイミングは、排紙検出センサ７ａからの出力により決定される。
【００１７】
固定軸９が回転駆動されると、図３（ａ）、（ｂ）に示すように、押さえ部材４は、回転基端が固定軸９に巻き付きながら、回転先端部が側方に引き抜かれる。回転時において押さえ部材４の回転先端部は、図３（ｂ）の右側に示す押さえ部材４のように、ガイド壁５、およびこの上端に形成される屈曲部５ａによって外方への飛び出しが規制される。
【００１８】
この状態から押さえ部材４がさらに回転し、押さえ部材４の回転先端縁がガイド壁５の屈曲部５ａから脱離すると、押さえ部材４全体は弾性によって板状の原形に復帰する。この後、さらに回転駆動すると、図３（ｃ）に示すように、押さえ部材４の回転先端部が排出済みの用紙２を上方から押さえ付ける状態となり、原位置まで回転すると、図４（ａ）、（ｂ）に示すように、用紙２の撓み癖を解消しながら用紙２の上に積層される。
【００１９】
以上の行程は、後続の用紙２が排紙検出センサ７ａにより検知され、排紙口１から排出されるまでの間に完了し、この後、後続の用紙２は平板状となった押さえ部材４の上に積層、収納される（図４（ｃ）参照）。
【００２０】
この後、排紙検出センサ７ａがさらに後続の用紙２を検出すると、下方側、すなわち、上記先行して配置された用紙２の下方に位置する押さえ部材４に対応する固定軸９が回転駆動され、上記と同様の手順によってトレイ部３上の最上層の用紙２を押さえ付ける。
【図面の簡単な説明】
【００２１】
【図１】本発明を示す図で、（ａ）はプリンタ装置の排紙口近傍の平面図、（ｂ）は（ａ）の斜視図である。
【図２】本発明の動作を示す図で、（ａ）は初期状態における図１（ａ）の２Ａ方向矢視図、（ｂ）は印刷済み用紙が排紙された状態を示す図１（ａ）の２Ａ方向矢視図、（ｃ）は図２（ｂ）の２Ｃ-２Ｃ線断面図である。
【図３】本発明の動作を示す図で、（ａ）は固定軸の回転初期における図１（ａ）の２Ａ方向矢視図、（ｂ）はさらに固定軸を回転させた状態を示す図１（ａ）の２Ａ方向矢視図、（ｃ）は図３（ｂ）の３Ｃ-３Ｃ線断面図である。
【図４】本発明の動作を示す図で、（ａ）は排紙済み用紙を押さえ部材で押さえ付けた状態を示す図１（ａ）の２Ａ方向矢視図、（ｂ）は図４（ａ）の４Ｂ-４Ｂ線断面図、（ｃ）新たな用紙が排紙された状態を示す図１（ａ）の２Ａ方向矢視図である。
【符号の説明】
【００２２】
１        排出部
２        紙葉状媒体
３        トレイ部
４        押さえ部材
５        ガイド壁
【図１】
2006219221.tif 000003
【図２】
2006219221.tif 000004
【図３】
2006219221.tif 000005
【図４】
2006219221.tif 000006